(57)【要約】【課題】アルデヒド含有排水を効率よく処理することが可能なアルデヒド含有排水の処理方法を提供する。【解決手段】アルデヒド含有排水の処理方法であって、原水であるアルデヒド含有排水に亜硫酸塩、亜硫酸水素塩およびチオ硫酸塩から選択される少なくとも１つの塩を添加する塩添加工程と、前記塩を添加した塩添加水をナノろ過膜または逆浸透膜を有する膜処理装置１２に通水する膜処理工程と、を含むアルデヒド含有排水の処理方法である。【選択図】図１
2014083521.tif 000002
【特許請求の範囲】
【請求項１】
アルデヒド含有排水の処理方法であって、
アルデヒド含有排水に亜硫酸塩、亜硫酸水素塩およびチオ硫酸塩から選択される少なくとも１つの塩を添加する塩添加工程と、
前記塩を添加した塩添加水をナノろ過膜または逆浸透膜に通水する膜処理工程と、
を含むことを特徴とするアルデヒド含有排水の処理方法。
【請求項２】
請求項１に記載のアルデヒド含有排水の処理方法であって、
前記塩添加工程において、アルデヒド含有排水中に含まれるアルデヒド化合物の濃度と前記塩の添加量とのモル比が、１：１〜１：１０の範囲であることを特徴とするアルデヒド含有排水の処理方法。
【請求項３】
請求項１または２に記載のアルデヒド含有排水の処理方法であって、
前記アルデヒド含有排水を活性炭処理した後に、前記塩添加工程を設けることを特徴とするアルデヒド含有排水の処理方法。
【請求項４】
請求項１〜３のいずれか１項に記載のアルデヒド含有排水の処理方法であって、
前記アルデヒド含有排水が、飲料工場から排出されるリンサー排水であることを特徴とするアルデヒド含有排水の処理方法。
【請求項５】
請求項１〜４のいずれか１項に記載のアルデヒド含有排水の処理方法であって、
前記膜処理工程で処理した処理水のＴＯＣを測定するＴＯＣ測定工程を含むことを特徴とするアルデヒド含有排水の処理方法。
【請求項６】
アルデヒド含有排水の処理装置であって、
アルデヒド含有排水に亜硫酸塩、亜硫酸水素塩およびチオ硫酸塩から選択される少なくとも１つの塩を添加する塩添加手段と、
前記亜硫酸塩が添加された塩添加水をナノろ過膜または逆浸透膜に通水する膜処理手段と、
を備えることを特徴とするアルデヒド含有排水の処理装置。
【請求項７】
請求項６に記載のアルデヒド含有排水の処理装置であって、
アルデヒド含有排水中に含まれるアルデヒド化合物の濃度と前記塩添加手段により添加される塩の添加量とのモル比が、１：１〜１：１０の範囲であることを特徴とするアルデヒド含有排水の処理装置。
【請求項８】
請求項６または７に記載のアルデヒド含有排水の処理装置であって、
前記アルデヒド含有排水が活性炭処理された後に、前記塩添加手段により前記少なくとも１つの塩が添加されることを特徴とするアルデヒド含有排水の処理装置。
【請求項９】
請求項６〜８のいずれか１項に記載のアルデヒド含有排水の処理装置であって、
前記アルデヒド含有排水が、飲料工場から排出されるリンサー排水であることを特徴とするアルデヒド含有排水の処理装置。
【請求項１０】
請求項６〜９のいずれか１項に記載のアルデヒド含有排水の処理装置であって、
前記膜処理手段で処理された処理水のＴＯＣを測定するＴＯＣ測定手段を有することを特徴とするアルデヒド含有排水の処理装置。
【発明の詳細な説明】
【技術分野】
【０００１】
本発明は、飲料製造工場、食品製造工場等から排出されるアルデヒド化合物を含有するアルデヒド含有排水の処理方法およびアルデヒド含有排水の処理装置に関する。
【背景技術】
【０００２】
飲料製造工場等では、缶コーヒー等の缶製品を製造する際に蒸気等による殺菌を行っている。殺菌後の製品は高温になるため、水道水や井戸水等のリンサー水による冷却および洗浄を行っているが、この際に生じる排水（以下、リンサー排水）中には、印字塗料等に由来するホルムアルデヒド、アセトアルデヒド等のアルデヒド化合物が含まれることがある。
【０００３】
従来のアルデヒド化合物の処理方法としては、特許文献１に代表される生物を用いた処理方法と、特許文献２に代表されるヒドロキシラジカル等による有機物酸化を利用した処理方法とが挙げられる。
【０００４】
特許文献１のように生物を用いてアルデヒド化合物を処理しようとする場合、生物の分解速度が遅く、生物処理槽の滞留時間を長くとる必要があるため、広い設置面積が必要となることが問題であった。また、生物処理した処理水を飲料用水等に用いようとする場合、塩素や紫外線等を用いた殺菌設備を設置する必要がある。
【０００５】
オゾンや紫外線等を用いたヒドロキシラジカルによる酸化処理を行おうとする場合、生物処理に比べて処理速度は速いが、ラジカルスカベンジャ等の影響により処理効率が低下してしまう等の問題点があった。また、オゾン処理を行う場合、排水中に共存する物質の種類によっては、トリハロメタン等の副生成物を生じる場合がある。
【先行技術文献】
【特許文献】
【０００６】
【特許文献１】特開平１１−０１９６８５号公報
【特許文献２】特開２０１０−２４７００９号公報
【発明の概要】
【発明が解決しようとする課題】
【０００７】
本発明の目的は、アルデヒド含有排水を効率よく処理することが可能なアルデヒド含有排水の処理方法およびアルデヒド含有排水の処理装置を提供することにある。
【課題を解決するための手段】
【０００８】
本発明は、アルデヒド含有排水の処理方法であって、アルデヒド含有排水に亜硫酸塩、亜硫酸水素塩およびチオ硫酸塩から選択される少なくとも１つの塩を添加する塩添加工程と、前記塩を添加した塩添加水をナノろ過膜または逆浸透膜に通水する膜処理工程と、を含むアルデヒド含有排水の処理方法である。
【０００９】
前記アルデヒド含有排水の処理方法において、前記塩添加工程において、アルデヒド含有排水中に含まれるアルデヒド化合物の濃度と前記塩の添加量とのモル比が、１：１〜１：１０の範囲であることが好ましい。
【００１０】
前記アルデヒド含有排水の処理方法において、前記アルデヒド含有排水を活性炭処理した後に、前記塩添加工程を設けることが好ましい。
【００１１】
前記アルデヒド含有排水の処理方法において、前記アルデヒド含有排水が、飲料工場から排出されるリンサー排水であることが好ましい。
【００１２】
前記アルデヒド含有排水の処理方法において、前記膜処理工程で処理した処理水のＴＯＣを測定するＴＯＣ測定工程を含むことが好ましい。
【００１３】
また、本発明は、アルデヒド含有排水の処理装置であって、アルデヒド含有排水に亜硫酸塩、亜硫酸水素塩およびチオ硫酸塩から選択される少なくとも１つの塩を添加する塩添加手段と、前記塩が添加された塩添加水をナノろ過膜または逆浸透膜に通水する膜処理手段と、を備えるアルデヒド含有排水の処理装置である。
【００１４】
前記アルデヒド含有排水の処理装置において、アルデヒド含有排水中に含まれるアルデヒド化合物の濃度と前記塩添加手段により添加される塩の添加量とのモル比が、１：１〜１：１０の範囲であることが好ましい。
【００１５】
前記アルデヒド含有排水の処理装置において、前記アルデヒド含有排水が活性炭処理された後に、前記塩添加手段により前記少なくとも１つの塩が添加されることが好ましい。
【００１６】
前記アルデヒド含有排水の処理装置において、前記アルデヒド含有排水が、飲料工場から排出されるリンサー排水であることが好ましい。
【００１７】
前記アルデヒド含有排水の処理装置において、前記膜処理手段で処理された処理水のＴＯＣを測定するＴＯＣ測定手段を有することが好ましい。
【発明の効果】
【００１８】
本発明では、アルデヒド含有排水に亜硫酸塩、亜硫酸水素塩およびチオ硫酸塩から選択される少なくとも１つの塩を添加し、その塩添加水をナノろ過膜または逆浸透膜に通水することにより、アルデヒド含有排水を効率よく処理することができる。
【図面の簡単な説明】
【００１９】
【図１】本発明の実施形態に係るアルデヒド含有排水の処理装置の一例を示す概略構成図である。
【図２】本発明の実施形態に係るアルデヒド含有排水の処理装置の他の例を示す概略構成図である。
【図３】実施例２における実験フローを示す概略図である。
【図４】実施例における、ホルムアルデヒド含有排水中のホルムアルデヒドに対する亜硫酸水素ナトリウムの添加モル比と、処理水のホルムアルデヒド濃度との関係を示す図である。
【発明を実施するための形態】
【００２０】
本発明の実施の形態について以下説明する。本実施形態は本発明を実施する一例であって、本発明は本実施形態に限定されるものではない。
【００２１】
本発明者らは、アルデヒド含有排水中に含まれるアルデヒド化合物と亜硫酸塩、亜硫酸水素塩およびチオ硫酸塩から選択される少なくとも１つの塩とを反応させてヒドロキシスルホン酸塩とし、それをナノろ過膜（ＮＦ膜）または逆浸透膜（ＲＯ膜）（以下、代表して「ＲＯ膜等」と称する場合がある）で膜処理し、分離、除去することにより、アルデヒド含有排水を効率よく処理することが可能となることを見出した。アルデヒド化合物は無荷電であるので、通常はＲＯ膜等を透過しやすいが、ヒドロキシスルホン酸塩とすることにより、ＲＯ膜等で分離、除去することが可能となる。特に、アルデヒド化合物の中でもホルムアルデヒド、アセトアルデヒド、プロピオンアルデヒド、グルタルアルデヒド等の分子量が３００程度以下の脂肪族アルデヒド化合物、芳香族アルデヒド化合物等は、無荷電であることに加えて、分子量が小さいため、ＲＯ膜等を非常に透過しやすいが、本実施形態に係るアルデヒド含有排水の処理方法で効率よく分離、除去することが可能となる。
【００２２】
本発明の実施形態に係るアルデヒド含有排水の処理装置の一例の概略を図１に示し、その構成について説明する。アルデヒド含有排水処理装置１は、原水槽１０と、膜処理手段としてのナノろ過膜または逆浸透膜を有する膜処理装置１２と、塩添加手段としての塩貯槽１４とを備える。
【００２３】
図１のアルデヒド含有排水処理装置１において、原水槽１０の出口と膜処理装置１２の入口とがポンプ１６を介して原水配管２０により接続され、膜処理装置１２の出口に処理水配管２２が接続されている。原水配管２０の途中には、塩添加手段としての塩貯槽１４がポンプ１８を介して塩添加配管２４により接続されている。処理水配管２２には、ＴＯＣ測定手段としてのＴＯＣ測定計２６が設置されている。
【００２４】
本実施形態に係るアルデヒド含有排水の処理方法およびアルデヒド含有排水処理装置１の動作について説明する。
【００２５】
原水槽１０に貯留されたアルデヒド含有排水は、ポンプ１６により原水配管２０を通して膜処理装置１２に向かって送液される。原水配管２０の途中では、亜硫酸塩、亜硫酸水素塩およびチオ硫酸塩から選択される少なくとも１つの塩が塩貯槽１４からポンプ１８により塩添加配管２４を通して、原水に添加され（塩添加工程）、アルデヒド化合物と亜硫酸塩等とが反応してヒドロキシスルホン酸塩が生成される。亜硫酸塩等が添加された塩添加水は膜処理装置１２に送液され、膜処理装置１２においてナノろ過膜または逆浸透膜に通水され、膜処理が行われる（膜処理工程）。膜処理装置１２において膜処理された処理水は、処理水配管２２を通して排出される。
【００２６】
処理水配管２２に設置したＴＯＣ測定計２６により、処理水のＴＯＣが測定される（ＴＯＣ測定工程）ことが好ましい。図示しない制御装置により、ＴＯＣ測定計２６により測定された処理水のＴＯＣに基づいて、亜硫酸塩等の添加量を制御してもよい。
【００２７】
図１の例では、亜硫酸塩等が塩貯槽１４から塩添加配管２４を通して原水配管２０において原水にライン添加されているが、原水槽１０と膜処理装置１２との間のポンプ１６の後段側に混合槽を設け、混合槽において原水に亜硫酸塩等を添加して、撹拌装置等により混合してから、塩添加水を膜処理装置１２に送液してもよい。
【００２８】
生物処理で問題となっていた設置面積に関しては、本実施形態に係るアルデヒド含有排水処理装置１で最低限必要なのは膜処理装置、付随するポンプ、塩貯槽となるため、生物処理に比べて設置面積を低減することができる。また、ナノろ過膜または逆浸透膜を用いることにより、菌の阻止を膜処理と共に行うことができるため、膜処理装置１２の後段に塩素や紫外線等を用いる殺菌装置を設けなくてもよい。
【００２９】
酸化処理で問題となっていた処理効率に関しては、亜硫酸塩等は比較的選択性よくアルデヒド化合物と反応するため、アルデヒド含有排水を効率よく処理することが可能となる。また、オゾン処理で可能性のある副生成物の発生もほとんどない。
【００３０】
本実施形態において処理対象となるアルデヒド含有排水としては、アルデヒド化合物を含む排水であればよく、特に制限はないが、例えば、飲料製造工場、食品製造工場等から排出されるアルデヒド含有排水が挙げられる。特に、飲料製造工場等から排出されるアルデヒド含有排水を処理しようとする場合、ＲＯ膜等において除菌が行えるため、好適に適用することができる。
【００３１】
飲料工場等では、製品を洗浄（リンス）、冷却した際に印字塗料等由来のホルムアルデヒド、アセトアルデヒド等のアルデヒド化合物を０．０８〜１０ｍｇ／Ｌ程度含んだリンサー排水が発生する。リンサー水の水質は、水道水質基準を満たすことが望ましく、リンサー排水を回収、再利用するには、処理水中のホルムアルデヒドを水道水質基準値（２０１２年時点）の０．０８ｍｇ／Ｌ以下に低減することが望ましい。本実施形態に係るアルデヒド含有排水の処理方法によれば、ホルムアルデヒドを０．０８ｍｇ／Ｌ以下に低減することができるだけではなく、ＲＯ膜等を用いるため、飲料分野等で懸念される菌の除去も行うことができるため、膜処理装置１２の後段に殺菌装置を設置しなくてもよく、コストを低減することができ、アルデヒド含有排水を効率よく処理することができる。
【００３２】
アルデヒド含有排水のアルデヒド濃度は、例えば、０．０８〜１０ｍｇ／Ｌの範囲である。
【００３３】
処理対象となるアルデヒド含有排水のアルデヒド化合物としては、特に制限はないが、ホルムアルデヒド、アセトアルデヒド、プロピオンアルデヒド、グルタルアルデヒド等の分子量が３００程度以下の脂肪族アルデヒド化合物、芳香族アルデヒド化合物等が挙げられる。
【００３４】
亜硫酸塩としては、亜硫酸の無機塩であればよく、特に制限はないが、例えば、亜硫酸ナトリウム、亜硫酸カリウム等のアルカリ金属の亜硫酸塩、亜硫酸アンモニウム等が挙げられる。亜硫酸水素塩としては、亜硫酸水素ナトリウム（重亜硫酸ナトリウム）等のアルカリ金属の亜硫酸水素塩等が挙げられる。チオ硫酸塩としては、チオ硫酸ナトリウム等のアルカリ金属のチオ硫酸塩等が挙げられる。これらのうち、アルデヒド化合物との反応性、食品添加物である等の観点から、亜硫酸水素ナトリウムが好ましい。
【００３５】
塩添加工程における亜硫酸塩等の添加量としては、アルデヒド含有排水のアルデヒド化合物と亜硫酸塩等が十分に反応する量であればよく、アルデヒド含有排水中のアルデヒド化合物の濃度に応じて適宜決めればよい。亜硫酸塩等の添加量としては、アルデヒド含有排水中に含まれるアルデヒド化合物の濃度と亜硫酸塩等の添加量とのモル比が、１：１〜１：１０の範囲となるようにすることが好ましく、１：１〜１：５の範囲となるようにすることがより好ましい。アルデヒド含有排水中に含まれるアルデヒド化合物の濃度と亜硫酸塩等の添加量とのモル比が１：１〜１：１０の範囲となるように亜硫酸塩等を添加すれば、薬品使用コストとアルデヒド化合物除去の費用対効果が最も高くなる。１：１０よりも過剰に亜硫酸塩等を添加すると、過剰の亜硫酸塩等が後段のＲＯ膜等の負荷となる場合がある。一方、１：１よりも亜硫酸塩等の添加量が少ないと、未反応のアルデヒド化合物が処理水に流出してしまう場合がある。
【００３６】
膜処理装置１２としては、ナノろ過膜または逆浸透膜であればよく、特に制限はない。ナノろ過膜および逆浸透膜には、カチオン荷電を有するカチオン荷電膜、アニオン荷電を有するアニオン荷電膜があるが、ヒドロキシスルホン酸はアニオン荷電を有するため、処理効率等の観点からアニオン荷電を有するアニオン荷電膜を用いることが好ましい。
【００３７】
カチオン荷電膜としては、例えば、ＥＳ−２０Ｃ（日東電工社製）等の市販品を用いることができる。アニオン荷電膜としては、例えば、ＯＦＲ−６２０（オルガノ社製）、ＥＳ−２０（日東電工社製）等の市販品を用いることができる。
【００３８】
膜処理装置１２において処理対象となる塩添加水のｐＨとしては、特に制限はないが、７以下が好ましい。ｐＨが７を超えると、亜硫酸塩等の添加により生成したヒドロキシスルホン酸塩が解離しやすくなり、膜処理装置１２におけるＲＯ膜等による阻止率が低下する場合がある。
【００３９】
膜処理装置１２において処理対象となる塩添加水の温度としては、特に制限はないが、４０℃未満が好ましい。塩添加水の温度が４０℃以上であると、ＲＯ膜等が破損する場合があるので、このような場合は耐熱性のＲＯ膜等を用いることが好ましい。また、定期的にＲＯ膜等を熱水により殺菌する場合も、耐熱性のＲＯ膜等を用いることが好ましい。
【００４０】
図２に本実施形態に係るアルデヒド含有排水処理装置の他の例の概略構成を示す。図２のアルデヒド含有排水処理装置３は、原水槽１０と膜処理装置１２との間のポンプ１６の後段側に活性炭処理装置２８を備える。図２のアルデヒド含有排水処理装置３において、原水槽１０の出口と活性炭処理装置２８の入口とがポンプ１６を介して原水配管２０により接続され、活性炭処理装置２８の出口と膜処理装置１２の入口とが活性炭処理水配管３０により接続されている。活性炭処理水配管３０の途中には、塩添加手段としての塩貯槽１４がポンプ１８を介して塩添加配管２４により接続されている。
【００４１】
アルデヒド含有排水処理装置３において、原水槽１０に貯留されたアルデヒド含有排水は、ポンプ１６により原水配管２０を通して活性炭処理装置２８に送液される。活性炭処理装置２８において活性炭により活性炭処理が行われる（活性炭処理工程）。活性炭処理が行われた活性炭処理水は、活性炭処理水配管３０を通して膜処理装置１２に向かって送液される。活性炭処理水配管３０の途中では、亜硫酸塩等が塩貯槽１４からポンプ１８により塩添加配管２４を通して、活性炭処理水に添加され（塩添加工程）、アルデヒド化合物と亜硫酸塩等とが反応してヒドロキシスルホン酸塩が生成される。亜硫酸塩等が添加された塩添加水は膜処理装置１２に送液され、膜処理装置１２においてナノろ過膜または逆浸透膜に通水され、膜処理が行われる（膜処理工程）。膜処理装置１２において膜処理された処理水は、処理水配管２２を通して排出される。なお、亜硫酸塩等の添加は、活性炭処理装置２８の前段側でもよいが、アルデヒド含有排水に次亜塩素酸等の塩素系酸化剤が含まれている場合、亜硫酸塩等が次亜塩素酸等の還元処理で消費されてしまい、アルデヒド化合物に対する添加比が一定に保てない場合がある。よって、亜硫酸塩等の添加は、活性炭処理装置２８の後段側の方が好ましい。
【００４２】
アルデヒド含有排水を活性炭により処理することにより、アルデヒド含有排水に次亜塩素酸等の殺菌剤が含まれる場合でも、次亜塩素酸等の殺菌剤が活性炭により除去され、後段のＲＯ膜等への負荷を低減することができる。
【実施例】
【００４３】
以下、実施例および比較例を挙げ、本発明をより具体的に詳細に説明するが、本発明は、以下の実施例に限定されるものではない。
【００４４】
＜実施例１および比較例１＞
図１に示す実験装置を用い、アルデヒド含有排水の処理を行った。アルデヒド化合物の代表物質としてホルムアルデヒドを用い、亜硫酸塩として亜硫酸水素ナトリウムを用いた。実験条件を表１に示す。膜処理装置には逆浸透膜を用いた。ホルムアルデヒドに対する亜硫酸水素ナトリウムの添加モル比を、１：０．０（比較例１）、１：０．５、１：１．０、１：２．０、１：３．０、１：５．０、１：１０．０、１：１５．０、１：２０．０（以上、実施例１）と変えて、処理を行った。実験結果を図４に示す。
【００４５】
【表１】
2014083521.tif 000003
【００４６】
この結果より、ホルムアルデヒド含有排水に亜硫酸塩である亜硫酸水素ナトリウムを添加し、その塩添加水を逆浸透膜に通水することにより、ホルムアルデヒド含有排水を効率よく処理することができることがわかった。特に、アルデヒド含有排水中に含まれるアルデヒド化合物の濃度と亜硫酸塩の添加量とのモル比を、１：１．０以上とすることにより、処理水中のアルデヒド化合物を０．０８ｍｇ／Ｌ以下まで低減することができることを確認した。また、アルデヒド含有排水中に含まれるアルデヒド化合物の濃度と亜硫酸塩の添加量とのモル比が１：５．０以上であれば、アルデヒド化合物を除去するための亜硫酸塩の添加量としては十分であることを確認した。
【００４７】
＜実施例２＞
リンサー排水を回収、再利用する場合を想定し、図３に示す実験装置を用い、アルデヒド含有排水の処理を行った。実験条件を表２に示す。
【００４８】
【表２】
2014083521.tif 000004
【００４９】
約７日間にわたる通水実験の結果、逆浸透膜による処理水のホルムアルデヒド濃度は、いずれも水道水質基準の０．０８ｍｇ／Ｌ以下であった。また、通水開始から１６８時間後の処理水を採水し、水道水質基準に定められている一般細菌試験を行ったところ、一般細菌は１００Ｎ／ｍＬ以下であり、逆浸透膜により除菌がされていることを確認した。
【００５０】
以上の結果より、アルデヒド含有排水に亜硫酸塩、亜硫酸水素塩およびチオ硫酸塩から選択される少なくとも１つの塩を添加し、その塩添加水を逆浸透膜に通水することにより、アルデヒド含有排水を効率よく処理することができることがわかった。
【符号の説明】
【００５１】
１，３  アルデヒド含有排水処理装置、１０  原水槽、１２  膜処理装置、１４  塩貯槽、１６，１８  ポンプ、２０  原水配管、２２  処理水配管、２４  塩添加配管、２６  ＴＯＣ測定計、２８  活性炭処理装置、３０  活性炭処理水配管。
【図１】
2014083521.tif 000005
【図２】
2014083521.tif 000006
【図３】
2014083521.tif 000007
【図４】
2014083521.tif 000008